(57)【特許請求の範囲】
【請求項１】
凹所が内方に形成された容器本体と、
該容器本体に蝶番を介して回動自在に設けられ、該容器本体を開閉する蓋体と、
上記容器本体に形成された切り欠き部と、
化粧料と収納する皿部、該皿部にヒンジを介して回動自在に設けられて、当該皿部を開閉する蓋部、並びに該蓋部を該皿部に開放可能に閉止する閉止部を有し、平面外形輪郭が円形状に形成された合成樹脂製のレフィル容器と、
平面外形輪郭が円形状に形成された周壁および当該周壁の外回りにその周方向に沿って形成されて上記蝶番や上記切り欠き部を上方から隠蔽しつつ該周壁と上記容器本体との間の隙間を覆う環状覆い部を有し、上記凹所に固定して設けられてその内方に上記レフィル容器を収容する中枠と、
上記レフィル容器の上記皿部と上記中枠の上記周壁との間に設けられ、該レフィル容器を該中枠に着脱自在に係合する係合部と、
上記蓋部に上記蓋体直下に向かって突出形成された指掛け突起と、
上記中枠に形成され、上記ヒンジを収納するヒンジ収納部と、
上記中枠に形成され、上記閉止部を配置する窪み部と、
上記蓋体に形成され、上記指掛け突起を下方に押し下げて保持するために当該指掛け突起に上方から係合する押し下げ部と、
上記皿部に、互いに向かい合う一対の環状壁部で区画して形成された環状溝と、
該環状溝の上部にその周方向に沿って形成された環状凹部と、
上記蓋部に、環状にかつ上記環状溝に向かって垂下させて形成され、上記環状凹部へ向かって弾性変形しつつ一方の上記環状壁部に圧接して気密にシールする第１気密シール部と、
該第１気密シール部の下部にその周方向に沿って環状に形成され、上記環状溝内で弾性変形しつつ他方の上記環状壁部に圧接して気密にシールする第２気密シール部と、
上記容器本体に支持されて上記切り欠き部に押圧操作可能に設けられ、上記蓋体に係脱自在に係合して該容器本体の閉止状態を維持するフック部および上記蓋部を押し上げて上記レフィル容器を開放するために、上記中枠に形成された開口を介して該蓋部に下方から係合する押し上げ部を有し、押圧操作されて該フック部が該蓋体から離脱されると同時に、該押し上げ部で該蓋部を押し上げるプッシュピースと、
該プッシュピースと上記容器本体との間に設けられ、押し込み操作された該プッシュピースを復帰させる復帰手段とを備えたことを特徴とする気密コンパクト容器。
【発明の詳細な説明】
【技術分野】
【０００１】
本発明は、独立した中枠を利用することで、容器本体の構造やレフィル容器に備える構造を単純化できるとともに、この中枠によりレフィル容器の収納性の改善やレフィル容器および容器本体の開閉操作性の改善、プッシュピースの構成の多様化、そしてまた気密シール性の向上など、総合的な改善を達成することができる新たなレフィル容器収納型の気密コンパクト容器に関する。
【背景技術】
【０００２】
従来この種のコンパクト容器、殊に気密性を有するレフィル容器を備えたコンパクト容器に関しては、開かれるレフィル容器の蓋を、コンパクト容器の容器本体外方に移動させるようにして、化粧操作をし易くした「気密化粧料容器」（特許文献１）や、プッシュピースの一度の操作によりコンパクト容器の蓋体を開けるのと同時に、負圧に保持されたレフィル容器内の気密状態のみを解除して大気圧にし、もって、その後のレフィル容器の蓋の開放操作性を容易にするようにした「化粧料容器」（特許文献２，３）が知られている。
【特許文献１】特開２０００−１３９５５６号公報
【特許文献２】特開２０００−２１７６２８号公報
【特許文献３】特開２０００−２１７６３０号公報
【発明の開示】
【発明が解決しようとする課題】
【０００３】
ところで、上述した従来の各種コンパクト容器は、化粧操作性の改善や開放操作性の改善を企図した個別的な課題解決策であるとともに、そのために容器本体の構造もしくはレフィル容器に備える構造が複雑化してしまうという課題があった。
【０００４】
本発明は上記従来の課題に鑑みて創案されたものであって、独立した中枠を利用することで、容器本体の構造やレフィル容器に備える構造を単純化できるとともに、この中枠によりレフィル容器の収納性の改善やレフィル容器および容器本体の開閉操作性の改善、プッシュピースの構成の多様化、そしてまた気密シール性の向上など、総合的な改善を達成することができる新たなレフィル容器収納型の気密コンパクト容器を提供することを目的とする。
【課題を解決するための手段】
【０００５】
本発明にかかる気密コンパクト容器は、凹所が内方に形成された容器本体と、該容器本体に蝶番を介して回動自在に設けられ、該容器本体を開閉する蓋体と、上記容器本体に形成された切り欠き部と、化粧料と収納する皿部、該皿部にヒンジを介して回動自在に設けられて、当該皿部を開閉する蓋部、並びに該蓋部を該皿部に開放可能に閉止する閉止部を有し、平面外形輪郭が円形状に形成された合成樹脂製のレフィル容器と、平面外形輪郭が円形状に形成された周壁および当該周壁の外回りにその周方向に沿って形成されて上記蝶番や上記切り欠き部を上方から隠蔽しつつ該周壁と上記容器本体との間の隙間を覆う環状覆い部を有し、上記凹所に固定して設けられてその内方に上記レフィル容器を収容する中枠と、上記レフィル容器の上記皿部と上記中枠の上記周壁との間に設けられ、該レフィル容器を該中枠に着脱自在に係合する係合部と、上記蓋部に上記蓋体直下に向かって突出形成された指掛け突起と、上記中枠に形成され、上記ヒンジを収納するヒンジ収納部と、上記中枠に形成され、上記閉止部を配置する窪み部と、上記蓋体に形成され、上記指掛け突起を下方に押し下げて保持するために当該指掛け突起に上方から係合する押し下げ部と、上記皿部に、互いに向かい合う一対の環状壁部で区画して形成された環状溝と、該環状溝の上部にその周方向に沿って形成された環状凹部と、上記蓋部に、環状にかつ上記環状溝に向かって垂下させて形成され、上記環状凹部へ向かって弾性変形しつつ一方の上記環状壁部に圧接して気密にシールする第１気密シール部と、該第１気密シール部の下部にその周方向に沿って環状に形成され、上記環状溝内で弾性変形しつつ他方の上記環状壁部に圧接して気密にシールする第２気密シール部と、上記容器本体に支持されて上記切り欠き部に押圧操作可能に設けられ、上記蓋体に係脱自在に係合して該容器本体の閉止状態を維持するフック部および上記蓋部を押し上げて上記レフィル容器を開放するために、上記中枠に形成された開口を介して該蓋部に下方から係合する押し上げ部を有し、押圧操作されて該フック部が該蓋体から離脱されると同時に、該押し上げ部で該蓋部を押し上げるプッシュピースと、該プッシュピースと上記容器本体との間に設けられ、押し込み操作された該プッシュピースを復帰させる復帰手段とを備えたことを特徴とする。
【発明の効果】
【０００６】
本発明にかかる気密コンパクト容器にあっては、独立した中枠を利用することで、容器本体の構造やレフィル容器に備える構造を単純化できるとともに、この中枠によりレフィル容器の収納性の改善やレフィル容器および容器本体の開閉操作性の改善、プッシュピースの構成の多様化、そしてまた気密シール性の向上など、総合的な改善を達成することができる。
【発明を実施するための最良の形態】
【０００７】
以下に、本発明にかかる気密コンパクト容器の好適な一実施形態を、添付図面を参照して詳細に説明する。本実施形態にかかる気密コンパクト容器１は基本的には、図１〜図４に示すように、容器本体２と、容器本体２を開閉する蓋体３と、容器本体２内に設けられる中枠４と、蓋部５および皿部６からなり、中枠４を介して容器本体２内に着脱自在に収納されるレフィル容器７と、レフィル容器７の蓋部５および容器本体２の蓋体３を開放操作するためのプッシュピース８とから主に構成される。
【０００８】
容器本体２は合成樹脂製であって、底部９とその周縁から立ち上げた周側壁部１０とから形成され、これら底部９と周側壁部１０で区画した内方には、凹所１１が形成される。この容器本体２の底部９には、周側壁部１０内方にこれより適宜間隔を隔てて、中枠４の取り付けを案内するための円形状のガイド壁１２が形成される。このガイド壁１２には、これよりその径方向外方へ突出させて、プッシュピース８をスライド自在に係止するスライドガイド１３が形成される。周側壁部１０には、スライドガイド１３位置に対応させて切り欠き部１４が形成される。周側壁部１０には、蓋体３と容器本体２との間に設けられてこれらを連結する蝶番１５を配置するための切り込み部１６が形成される。この切り込み部１６の両側には、周側壁部１０から内方へ突出させて一対の蝶番ブロック１７が形成される。さらに周側壁部１０には、その内周面に沿って、中枠４に形成される環状覆い部１８を嵌合するための嵌合凹所１９が形成される。
【０００９】
蓋体３も合成樹脂製であって、容器本体２の外形輪郭に一致する外形輪郭の天井部２０と、その周縁から垂下された周側壁２１とから形成され、これら天井部２０と周側壁２１で区画形成した内方には、空間部Ｓが形成される。蓋体３で容器本体２を閉じた状態では、周側壁２１の下端は、容器本体２の周側壁部１０上端に当接される。天井部２０の裏面には、これに嵌め込んで鏡２２が設けられる。
【００１０】
周側壁２１には、容器本体２の切り込み部１６に対応する位置からさらに垂下させて、一対の蝶番ブロック１７間に嵌合される蝶番片２３が形成される。蝶番片２３は、その先端が容器本体２の周側壁部１０よりも内側の、容器本体２内方に位置するように断面Ｌ字状に形成される。そして、容器本体２内方に位置する蝶番片２３の先端を貫通して一対の蝶番ブロック１７間に亘って蝶番ピン２４を挿入することにより蝶番１５が構成され、これによって蓋体３は容器本体２に回動自在に設けられて、蓋体３により容器本体２を開閉できるようになっている。蝶番ピン２４、ひいては蝶番１５全体が容器本体２内方に配置されるため、気密コンパクト容器１の外観の美麗さを確保することができる。
【００１１】
また蓋体３の周側壁２１内面には、容器本体２の切り欠き部１４位置に対応させて、プッシュピース８に形成されるフック部２５に係脱自在に係合される係止フック２６が形成される。周側壁２１内面にはこれを窪ませて、蓋体３の閉止状態においてレフィル容器７の蓋部５に形成される指掛け突起２７を下方に押し下げて保持すべく、当該指掛け突起２７に上方から係合する押し下げ部２８が形成される。
【００１２】
中枠４は合成樹脂製であって、容器本体２のガイド壁１２の内周に沿って平面外形輪郭が円形状に形成された周壁２９と、周壁２９の外回りにその周方向に沿って形成された環状覆い部１８とから構成される。周壁２９と環状覆い部１８とは、周壁２９の適宜高さ位置に設定される段部３０を介して一体的に形成される。中枠４は、周壁２９の下端がガイド壁１２内方で容器本体２の底部９に超音波接着されるなどして、固定して設けられる。また環状覆い部１８は、その上端面の高さ位置がほぼ容器本体２の周側壁部１０上端の高さ位置とほぼ一致するように、外周縁が容器本体２の嵌合凹所１９に嵌合される。これにより周壁２９と容器本体２の周側壁部１０との間の隙間が環状覆い部１８によって覆われて、蝶番１５や切り欠き部１４が上方から隠蔽され、容器本体２内方は、環状覆い部１８から周壁２９に亘る中枠４で取り囲まれた内方に底部９が現れて、外観の美麗さが確保される。そしてこの中枠４の内方にレフィル容器７が収容される。
【００１３】
中枠４の周壁２９にはその周方向に適宜間隔を隔てて、当該周壁２９下端から左右一対のスリット３１を介して弾性可撓片３２が形成され、これら弾性可撓片３２それぞれには中枠４内方へ向けて係合突起３３が形成される。環状覆い部１８にはこれを下方に窪ませて、レフィル容器７に設けられるヒンジ３４を収納するヒンジ収納部３５が形成される。環状覆い部１８にはまたこれを下方に窪ませて、レフィル容器７に設けられる閉止部３６を配置する窪み部３７が形成される。環状覆い部１８には、切り込み部１６位置に対応させて、蝶番１５を配置するための切欠部分３８も形成される。
【００１４】
さらに環状覆い部１８には、容器本体２の切り欠き部１４位置に対応させて、プッシュピース８のフック部２５の移動を案内するガイド溝３９が形成される。段部３０には、切り欠き部１４から周壁２９内方へ向かって貫通させて、プッシュピース８に形成される押し上げ部４０を挿通するための開口４１が形成される。段部３０はまた、レフィル容器７上面の高さ位置がほぼ環状覆い部１８の上端面高さ位置とほぼ一致し、かつレフィル容器７の皿部６と周側２９との間に隙間が生じないように、レフィル容器７の蓋部５を配置するスペースを提供するように形成される。ガイド壁１２には、中枠４の装着を円滑化するために傾斜面４２が形成されている。
【００１５】
レフィル容器７は合成樹脂製であって、平面外形輪郭が中枠４の周壁２９内面に沿って円形状に形成される。レフィル容器７は、化粧料を収納する化粧料収納部４３を有する皿部６と、皿部６に、中枠４のヒンジ収納部３５位置に対応させて配置されたヒンジ３４を介して回動自在に設けられ、当該皿部６を開閉する蓋部５と、中枠４の窪み部３７位置に対応させて形成され、蓋部５を皿部６に開放可能に閉止する閉止部３６とを備えて構成される。ヒンジ３４は、皿部６から径方向外方へ突出させて形成された一対のヒンジブロック４４と、蓋部５から径方向外方へ突出させて形成され一対のヒンジブロック４４間に嵌合されるヒンジ片４５と、これらヒンジブロック４４からヒンジ片４５に向かって一連に挿通されるヒンジピン４６とから構成される。
【００１６】
閉止部３６は、皿部６から径方向外方へ突出させて形成された係止突起４７と、蓋部５から垂下形成され、係止突起４７に係脱自在に係合する係止片４８とから構成される。蓋部５にはその外周縁に沿って、当該蓋部５上に載せられて空間部Ｓに収容されるパフなどの化粧具４９を保持するための環状隆起部５０が形成される。環状隆起部５０には、蓋体３の押し下げ部２８位置に対応させて、中枠４の環状覆い部１８を乗り越えて蓋体３の周側壁２１直下に向かって突出形成され、蓋体３が閉止されるときに当該押し下げ部２８が係合される指掛け突起２７が形成される。この指掛け突起２７は、蓋部５を開放操作する際に、手指を掛けるのに利用される。
【００１７】
レフィル容器７の皿部６と中枠４の周壁２９との間には、レフィル容器７を中枠４に着脱自在に係合する係合部５１が設けられる。この係合部５１は、上記係合突起３３と、当該係合突起３３の形成位置に対応させて、皿部６に形成された係合凹部５２とから構成される。そして、レフィル容器７を中枠４内方へ押し込むと、皿部６によって係合突起３３を有する弾性可撓片３２が中枠４外方へたわみ変形し、その後係合凹部５２が係合突起３３に面するようになると、弾性可撓片３２が弾性復帰して係合突起３３が係合凹部５２に係合し、これによりレフィル容器７が容器本体２内に保持されるようになっている。皿部６の底面には、中枠４内への挿入を円滑化する傾斜面５３が形成されている。
【００１８】
皿部６には、互いに向かい合う一対の環状壁部５４，５５の内方に化粧料収納部４３が形成され、そしてこれら一対の環状壁部５４，５５はそれら間に皿部６の周方向に沿って、化粧料収納部４３の外周囲を取り囲む環状溝５６を区画形成する。環状溝５６の上部には、その周方向に沿って環状凹部５７が形成される。図示例にあっては、環状凹部５７は外側環状壁部５４の上部を径方向外方へ窪ませることで形成されている。
【００１９】
蓋部５には、環状溝５６位置に対応させて、環状にかつ環状溝５６に向かって垂下させて、第１気密シール部５８が形成される。この第１気密シール部５８はまた、環状凹部５７位置に対応する高さ位置に形成される。第１気密シール部５８は、蓋部５を閉じることで環状溝５６に挿入される際、内側環状壁部５５に摺接しつつ環状溝５６内に進入していき、この摺接作用で環状凹部５７へ向かって弾性変形しつつ内側環状壁部５５に強く圧接して気密なシール作用を発揮する。
【００２０】
この第１気密シール部５８の下部にはその周方向に沿って、かつ環状凹部５７よりも下方に位置させて、環状の第２気密シール部５９が形成される。この第２気密シール部５９は、環状溝５６内で弾性変形可能に、環状溝５６や第１気密シール部５８よりも薄肉に形成される。この第２気密シール部５９は、蓋部５の閉じ操作で第１気密シール部５８よりも先行して環状溝５６内に入り込んで、環状凹部５７下の外側環状壁部５４に摺接しつつ環状溝５６内に進入していき、この摺接作用で環状溝５６内で内側環状壁部５５側へ向かって弾性変形しつつ外側環状壁部５４に強く圧接して気密なシール作用を発揮する。
【００２１】
すなわち、第１および第２気密シール部５８，５９は、一対の環状壁部５４，５５内で、互いの弾性反発作用によって各環状壁部５４，５５に強く圧接して、上下２カ所の気密シール効果を確保するようになっている。環状凹部５７には第２気密シール部５９の環状溝５６内への挿入を円滑化するために、および第１気密シール部５８には、その環状溝５６内への進入を円滑化するために、それぞれ傾斜面６０が形成されている。
【００２２】
図示例にあっては、環状凹部５７を外側環状壁部５４に形成し、第１気密シール部５８を内側環状壁部５５に、第２気密シール部５９を外側環状壁部５４に圧接させるようにしたが、構成を反対にして、環状凹部５７を内側環状壁部５５に形成し、第１気密シール部５８を外側環状壁部５４に、第２気密シール部５９を内側環状壁部５５に圧接させるようにしてもよい。
【００２３】
プッシュピース８は合成樹脂製であって、前面に位置する押圧壁部６１と、押圧壁部６１の左右両端から容器本体２内方へ突出された一対の側壁部６２と、押圧壁部６１の上端から容器本体２内方へ突出された上部壁部６３と、押圧壁部６１の下端から容器本体２内方へ突出された下部壁部６４とから、側断面コ字状のボックス形態で形成される。押圧壁部６１は、容器本体２の切り欠き部１４にこれを封鎖するように位置される。下部壁部６４は、容器本体２の底部９上にスライドガイド１３で係止されて、切り欠き部１４内方へスライド自在に支持され、プッシュピース８は、押圧壁部６１が切り欠き部１４内方へ押圧操作されて下部壁部６４がスライドすることで、容器本体２内方へ向かって押圧操作可能とされる。
【００２４】
またプッシュピース８と容器本体２との間には、押し込み操作されたプッシュピース８を復帰させる復帰手段６５が設けられる。この復帰手段６５は、プッシュピース８の一対の側壁部６２それぞれから外方へ向けて形成された一対の板バネ部６６と、容器本体２に形成され、一対の板バネ部６６の先端がそれぞれスライド自在に当接される係止壁６７とから構成され、押し込み操作されたプッシュピース８を係止壁６７に反力をとって板バネ部６６により復帰させるようになっている。
【００２５】
プッシュピース８の上部壁部６３には、これより上方へ突出形成され、蓋体３の係止フック２６に係脱自在に係合し、蓋体３を保持して容器本体２の閉止状態を維持するフック部２５が形成される。フック部２５および係止フック２６には、互いに摺接されて両者の係合を案内する傾斜部６８がそれぞれ形成されている。
【００２６】
また上部壁部６３には、中枠４の開口４１を介して中枠４内方へ突出され、中枠４内部に保持されたレフィル容器７の蓋部５に下方から係合する押し上げ部４０が形成される。図示例にあっては、押し上げ部４０は、プッシュピース８の押圧操作方向に順次下向きに傾斜させて形成され、蓋部５の下端縁に当接する下向き傾斜部として構成される。そしてプッシュピース８は、押圧壁部６１を押圧操作すると切り欠き部１４内を容器本体２内方へ移動され、これによりフック部２５が蓋体３の係止フック２６から離脱されると同時に、押し上げ部４０が開口４１から中枠４内に深く進入して蓋部５を押し上げ、この結果、蓋体３は開放可能な状態になるとともに、皿部６の係止突起４７から蓋部５の係止片４８が離脱されることでレフィル容器７の閉止部３６の係合が解除されて、蓋部５が僅かに開いた状態とされるようになっている。
【００２７】
次に、本実施形態にかかる気密コンパクト容器１の作用について説明する。まず、気密コンパクト容器１の組み立てについて説明すると、蝶番ブロック１７間に蝶番片２３を嵌合して蝶番ピン２４を挿入し、これにより鏡２２付きの蓋体３を容器本体２に回動自在に取り付ける。次いで、ガイド突起１３に係止し、かつ係止壁６７に板バネ部６６を摺接させて、切り欠き部１４にプッシュピース８を装着する。次いで、中枠４を、押し上げ部４０を開口４１に挿入しつつ、ガイド壁１２を利用して容器本体２内に装着して接着する。これにより、蝶番１５や切り欠き部１４が環状覆い部１８によって隠蔽される。他方、レフィル容器７は、ヒンジブロック４４間にヒンジ片４５を嵌合してヒンジピン４６を挿入し、これにより蓋部５を皿部６に回動自在に取り付ける。そしてレフィル容器７は、皿部６に化粧料が充填された後、閉止部３６により開放可能に閉止される。
【００２８】
殊にレフィル容器７はそれ自身、高い気密性を有するシール機構を備える。蓋部５を閉じていくと、まず第２気密シール部５９が環状溝５６内に進入し、この第２気密シール部５９が環状凹部５７下に達すると同時に、第１気密シール部５８が環状溝５６内に進入して環状凹部５７位置に達し、この際、第１気密シール部５８は環状凹部５７に向かって弾性変形しつつ内側環状壁部５５に圧接すると同時に、第２気密シール部５９が環状溝５６内で弾性変形しつつ外側環状壁部５４に圧接し、第１および第２気密シール部５８，５９はともに他方の気密シール部５８，５９の弾性変形の作用でそれぞれ一対の環状壁部５４，５５に対し強固に密接されて、高い気密シールを形成することができる。
【００２９】
このようにして化粧料を収納したレフィル容器７は、中枠４内方へ押し込むことで、係合部５１により中枠４に対して係脱自在に係合され、これにより容器本体２内に保持される。この際、レフィル容器７のヒンジ３４は中枠４のヒンジ収納部３５に、また閉止部３６は窪み部３７にそれぞれ収納配置される。レフィル容器７を中枠４から取り出す際には、係合部５１の係合を離脱させるために、ヒンジ３４を利用してレフィル容器７を中枠４内から引き上げればよい。その後、蓋体３を閉じていくと、押し下げ部２８がレフィル容器７の指掛け突起２７を下方に押し下げて保持することとなり、閉止部３６に加えて、この押し下げ部２８により蓋部５を強固に閉じることができる。閉止部３６が離脱状態にあって蓋部５が開いている場合にも、この押し下げ部２８によって指掛け突起２７を押し下げて蓋部５を閉じることができ、蓋部５の閉め忘れを防止することができる。
【００３０】
蓋体３が容器本体２の周側壁部１０に当接する段階では、係止フック２６とプッシュピース８のフック部２５とが互いに傾斜部６８を介して摺接し、係止フック２６がフック部２５を僅かに押し込んでその下方に達すると、復帰手段５がプッシュピース８を復帰させてフック部２５が係止フック２６に係合し、これにより蓋体３の閉止状態が維持される。
【００３１】
化粧操作のために蓋体３を開く際には、手指でプッシュピース８を容器本体２内方へ押圧操作する。プッシュピース８を押圧操作すると、フック部２５が係止フック２６から離脱すると同時に、押し上げ部４０が蓋部５を上方に押し上げ、これにより蓋体３は開放可能になると同時に、閉止部３６が解除されて蓋部５が僅かに開いた状態となる。プッシュピース８を押圧したままで、蓋体３を開放する。その後、プッシュピース８から手指を離せば、プッシュピース８は復帰手段６５により元の位置に復帰する。蓋体３を開放すると、蓋部５はすでに閉止部３６が解除されているので、蓋部５上からパフなどの化粧具４９を手にとって、蓋部５を開放すれば、内部の化粧料を露出させることができる。化粧操作の終了後は、蓋部５上に化粧具４９を置き、蓋部５を閉じて気密シールを確保し、その後蓋体３を閉じればよい。
【００３２】
図５には、プッシュピース８の押し上げ部４０の変形例が示されている。この変形例では、押し上げ部４０は、ほぼ側断面三角形状に形成され、下面にプッシュピース８の押し込み操作方向に順次上昇する上向き傾斜部６９を有し、かつ上面にプッシュピース８の押し込み操作方向に順次下降する下向き傾斜部７０を有する押し上げブロック７１と、この押し上げブロック７１を上部壁部６３に対し上下方向へ揺動自在に連結する可撓部７２とを備えて構成される。また、開口４１には、プッシュピース８の押し込み操作方向に順次上昇させて形成され、上向き傾斜部６９が摺接されるガイド斜面７３が設けられる。
【００３３】
プッシュピース８が押し込み操作されると、上向き傾斜部６９がガイド斜面７３上をスライド移動し、これによって押し上げブロック７１が可撓部７２を介して上方に振り上げられ、下向き傾斜部７０がこの振り上げ動作とその傾斜とによって蓋部５を押し上げるようになっている。この変形例では、下向き傾斜部７０による押し上げに加えて、可撓部７２を利用することでガイド斜面７３と上向き傾斜部６９とによって得られる押し上げブロック７１の揺動動作によって、短い押し込み操作ストロークであっても大きな押し上げ量を確保できて、適切かつ瞬時に蓋部５の押し上げ操作を完了することができる。
【００３４】
以上説明した本実施形態にかかる気密コンパクト容器１にあっては、凹所１１が内方に形成された容器本体２と、容器本体２に蝶番１５を介して回動自在に設けられ、容器本体２を開閉する蓋体３と、容器本体２に形成された切り欠き部１４と、化粧料と収納する皿部６、皿部６にヒンジ３４を介して回動自在に設けられて、当該皿部６を開閉する蓋部５、並びに蓋部５を皿部６に開放可能に閉止する閉止部３６を有し、平面外形輪郭が円形状に形成された合成樹脂製のレフィル容器７と、平面外形輪郭が円形状に形成された周壁２９および当該周壁２９の外回りにその周方向に沿って形成されて蝶番１５や切り欠き部１４を上方から隠蔽しつつ周壁２９と容器本体２との間の隙間を覆う環状覆い部１８を有し、凹所１１に固定して設けられてその内方にレフィル容器７を収容する中枠４と、レフィル容器７の皿部６と中枠４の周壁２９との間に設けられ、レフィル容器７を中枠４に着脱自在に係合する係合部５１と、蓋部５に蓋体３直下に向かって突出形成された指掛け突起２７と、中枠４に形成され、ヒンジ３４を収納するヒンジ収納部３５と、中枠４に形成され、閉止部３６を配置する窪み部３７と、蓋体３に形成され、指掛け突起２７を下方に押し下げて保持するために当該指掛け突起２７に上方から係合する押し下げ部２８と、皿部６に、互いに向かい合う一対の環状壁部５４，５５で区画して形成された環状溝５６と、環状溝５６の上部にその周方向に沿って形成された環状凹部５７と、蓋部５に、環状にかつ環状溝５６に向かって垂下させて形成され、環状凹部５７へ向かって弾性変形しつつ一方の環状壁部５５に圧接して気密にシールする第１気密シール部５８と、第１気密シール部５８の下部にその周方向に沿って環状に形成され、環状溝５６内で弾性変形しつつ他方の環状壁部５４に圧接して気密にシールする第２気密シール部５９と、容器本体２に支持されて切り欠き部１４に押圧操作可能に設けられ、蓋体３に係脱自在に係合して容器本体２の閉止状態を維持するフック部２５および蓋部５を押し上げてレフィル容器７を開放するために、中枠４に形成された開口４１を介して蓋部５に下方から係合する押し上げ部４０を有し、押圧操作されてフック部２５が蓋体３から離脱されると同時に、押し上げ部４０で蓋部５を押し上げるプッシュピース８と、プッシュピース８と容器本体２との間に設けられ、押し込み操作されたプッシュピース８を復帰させる復帰手段６５とを備えたので、容器本体２やレフィル容器７とは独立した中枠４を利用することで、中枠４に係合部５１やヒンジ収納部３５、窪み部３７などを形成して、容器本体２の構造やレフィル容器７に備える構造を単純化でき、また中枠４により、切り欠き部１４や蝶番１５、隙間などを隠蔽して外観を美麗化することができるとともに、ヒンジ収納部３５や窪み部３７、係合部５１によってレフィル容器７の収納性や取り扱い性を改善でき、さらにプッシュピース８で蓋体３と蓋部５を同時に開放できるとともに、指掛け突起２７と押し下げ部２８により蓋部５の閉め忘れを防止できてレフィル容器７および容器本体２の開閉操作性を改善でき、さらには押し上げ部４０を、中枠４の開口４１を利用して蓋部５に係合させることにより、プッシュピース８の構成の多様化を確保でき、そしてまた第１および第２気密シール部５８，５９の相互作用による気密シールにより、シール性を向上することができて、レフィル容器７収納型の気密コンパクト容器１の総合的な改善を達成することができる。
【図面の簡単な説明】
【００３５】
【図１】本発明にかかる気密コンパクト容器の好適な一実施形態の全体構成を示す一部破断斜視図である。
【図２】図１の気密コンパクト容器の蓋体および蓋部を開いた状態を示す平面図である。
【図３】図１の気密コンパクト容器の蓋体および蓋部を閉じた状態のＡ−Ａ線矢視断面図である。
【図４】図１の気密コンパクト容器の蓋体および蓋部を閉じた状態のＢ−Ｂ線矢視断面図である。
【図５】本発明にかかる気密コンパクト容器に適用可能なプッシュピースの変形例を示す要部拡大断面図である。
【符号の説明】
【００３６】
１  気密コンパクト容器
２  容器本体
３  蓋体
４  中枠
５  蓋部
６  皿部
７  レフィル容器
８  プッシュピース
１１  凹所
１４  切り欠き部
１５  蝶番
１８  環状覆い部
２５  フック部
２７  指掛け突起
２８  押し下げ部
２９  周壁
３４  ヒンジ
３５  ヒンジ収納部
３６  閉止部
３７  窪み部
４０  押し上げ部
４１  開口
５１  係合部
５４  外側環状壁部
５５  内側環状壁部
５６  環状溝
５７  環状凹部
５８  第１気密シール部
５９  第２気密シール部
６５  復帰手段
【図１】
0004762635.tif 000002
【図２】
0004762635.tif 000003
【図３】
0004762635.tif 000004
【図４】
0004762635.tif 000005
【図５】
0004762635.tif 000006